(57)【要約】【課題】高分解能ガス流量測定の実現とガス供給圧力の変動や振動や衝撃によって流量計測の誤検知を防止すること。【解決手段】単位流量を１／１２等分割した領域に磁石６を１つづつ配置させ、かつ磁石６を配置している領域のうち１つの領域は磁石６を配置していない個所を有した磁石ユニット７と、流量センサ８ａ、及び８ｂは磁石６の通過位置に臨んで設け、磁石６が通過する度に流量信号ａを出力する。流量センサ８ａの流量信号ａが１回出力する間に、流量センサ８ｂが流量信号ｂを２回出力すると、流量センサ８ａは磁石６のない領域が通過した、つまり単位流量のガス流量を判断し、また、流量信号ａ及びｂを用いて計量体積の１／１２の高分解能で測定を行うことが出来る。【選択図】図１
2006308444.tif 000002
【特許請求の範囲】
【請求項１】
ガスメータのガス流路と区別された部屋内に設けた制御器と、前記制御器の電源である電池と、ガス流路内に設けられた遮断弁と、単位流量計測毎に定位置を通過し、単位流量を複数に等分割した領域に磁石を配置させ、かつ前記磁石を配置している領域のうち一つの領域は前記磁石を配置していない個所を有した磁石ユニットと、前記磁石に臨んで設け、前記磁石の磁力を検知し流量信号を出力する２個以上の流量センサと、前記流量信号を受け取り、２個以上配置された前記流量センサのうち、一方の前記流量センサの前記流量信号が１回の間に、他方の前記流量センサが２回以上前記流量信号を検知すると単位流量のガス流量を判断し、ガス流量を積算するマイクロコンピュータと、前記流量信号を受け取る毎に精密流量を積算し、精密流量積算値を前記マイクロコンピュータに送り、前記マイクロコンピュータが単位流量のガス流量があると判断すると、精密流量積算をリセットする精密流量積算部を有する記載のガス遮断装置。
【請求項２】
２個以上配置された前記流量センサのうち、一方の前記流量センサが２回以上前記流量信号を出力した時に、他方の前記流量センサが１回も前記流量信号を出力しない毎にカウントするエラーカウンタを有する請求項１記載のガス遮断装置。
【請求項３】
前記エラーカウンタのカウンタ数が一定数以上になると発呼信号を発する発呼部を有する請求項２記載のガス遮断装置。
【請求項４】
前記エラーカウンタのカウンタ数が一定数以上になると前記遮断弁に前記遮断信号を送信する流量積算ミス検知部を有する請求項２または３記載のガス遮断装置。
【請求項５】
磁石ユニットは、１極だけ磁化させない多数極の磁石を備えた請求項１記載のガス遮断装置。
【発明の詳細な説明】
【技術分野】
【０００１】
本発明は、ガスメータ以後のガス使用時に、ガス使用上の安全を図るガス遮断装置に関するものである。
【背景技術】
【０００２】
従来、この種のガス遮断装置は、図４に示すように通過流量を計測する膜式の計量部に連動して回転する回転体５１に取り付けられた永久磁石５２の通過位置に臨んで設けたリードスイッチ５３のオン・オフ動作を流量検出回路５４で電気的信号に変換する。
【０００３】
流量検出回路５４は電池５５の電圧を抵抗５６ａと抵抗５６ｂで分圧した流量信号電圧を出力する。流量検出回路５４からのオン・オフ流量信号を受取るマイクロコンピュータ５７で構成される。
【０００４】
マイクロコンピュータ５７はガス流量の流量値や漏洩等を監視し、異常時には遮断弁駆動回路５８を介して遮断弁５９を遮断し、表示部６０で警報するように構成されており、これらの電源は電池１から供給するよう構成されている（例えば、特許文献１参照）。
【特許文献１】特開２００３−１２１２１４号公報
【発明の開示】
【発明が解決しようとする課題】
【０００５】
しかしながら、従来のガス遮断装置では、リードスイッチが永久磁石の磁界でオン・オフする構成なので、ガスの微小流量を測定するために永久磁石の極数又は使用個数を増加させると、リードスイッチが機械式接点のため、接点寿命が耐用期間を満足できない等の課題を有していた。
【０００６】
本発明は、このような従来の課題を解決したもので、高分解能で流量測定を可能としたガス遮断装置を提供することを目的とする。
【課題を解決するための手段】
【０００７】
前記従来の課題を解決するために本発明は、ガスメータのガス流路と区別された部屋内に設けた制御器と、前記制御器の電源である電池と、ガス流路内に設けられた遮断弁と、単位流量計測毎に定位置を通過し、単位流量を複数に等分割した領域に磁石を配置させ、かつ前記磁石を配置している領域のうち一つの領域は前記磁石を配置していない個所を有した磁石ユニットと、前記磁石に臨んで設け、前記磁石の磁力を検知し流量信号を出力する２個以上の流量センサと、前記流量信号を受け取り、２個以上配置された前記流量センサのうち、一方の前記流量センサの前記流量信号が１回の間に、他方の前記流量センサが２回以上前記流量信号を検知すると単位流量のガス流量を判断し、ガス流量を積算するマイクロコンピュータと、前記流量信号を受け取る毎に精密流量を積算し、精密流量積算値を前記マイクロコンピュータに送り、前記マイクロコンピュータが単位流量のガス流量があると判断すると、精密流量積算をリセットする精密流量積算部を有する構成を採った。
【０００８】
上記によれば、単位流量計測定毎に定位置を通過する単位計量測定の分割数に応じた複数個の磁石の磁界よって発生する流量信号と、単位計量測定毎に定位置を通過する磁石を有していない領域により、一方の流量センサの流量信号が１回の間に、他方の流量センサが２回以上流量信号を検知すると単位流量のガス流量を判断流量と判定し、単位計量以内のガス流量を測定する場合は流量信号を用いて単位計量体積の磁石数で分割した高分解能で流量測定ができる。
【発明の効果】
【０００９】
本発明のガス遮断装置は、単位流量計測定毎に定位置を通過する単位計量測定の分割数に応じた複数個の磁石の磁界よって発生する流量信号と、単位計量測定毎に定位置を通過する磁石を有していない領域により、一方の流量センサの流量信号が１回の間に、他方の流量センサが２回以上流量信号を検知すると単位流量のガス流量を判断流量と判定し、単位計量以内のガス流量を測定する場合は流量信号を用いて単位計量体積の磁石数で分割した高分解能で流量測定ができる。
【発明を実施するための最良の形態】
【００１０】
第１の発明は、ガスメータのガス流路と区別された部屋内に設けた制御器と、前記制御器の電源である電池と、ガス流路内に設けられた遮断弁と、単位流量計測毎に定位置を通過し、単位流量を複数に等分割した領域に磁石を配置させ、かつ前記磁石を配置している領域のうち一つの領域は前記磁石を配置していない個所を有した磁石ユニットと、前記磁石に臨んで設け、前記磁石の磁力を検知し流量信号を出力する２個以上の流量センサと、前記流量信号を受け取り、２個以上配置された前記流量センサのうち、一方の前記流量センサの前記流量信号が１回の間に、他方の前記流量センサが２回以上前記流量信号を検知すると単位流量のガス流量を判断し、ガス流量を積算するマイクロコンピュータと、前記流量信号を受け取る毎に精密流量を積算し、精密流量積算値を前記マイクロコンピュータに送り、前記マイクロコンピュータが単位流量のガス流量があると判断すると、精密流量積算をリセットする精密流量積算部を有するガス遮断装置である。
【００１１】
上記によれば、単位流量計測定毎に定位置を通過する単位計量測定の分割数に応じた複数個の磁石の磁界よって発生する流量信号と、単位計量測定毎に定位置を通過する磁石を有していない領域により、一方の流量センサの流量信号が１回の間に、他方の流量センサが２回以上流量信号を検知すると単位流量のガス流量を判断流量と判定し、単位計量以内のガス流量を測定する場合は流量信号を用いて単位計量体積の磁石数で分割した高分解能で流量測定ができる。
【００１２】
第２の発明は、特に、第１の発明の２個以上配置された流量センサのうち、一方の流量センサが２回以上流量信号を出力した時に、他方の流量センサが１回も流量信号を出力しない毎にカウントするエラーカウンタを有したものである。
【００１３】
上記によれば、流量センサの故障、もしくは振動、衝撃等による磁石の位置ずれ、磁石の誤検出を検知することが出来る。
【００１４】
第３の発明は、特に、第２の発明のエラーカウンタのカウンタ数が一定数以上になると発呼信号を発する発呼部を有したものである。
【００１５】
上記によれば、流量検知エラーが連続していることを検知し、流量を精確に測定することが出来なくなったと判断し、ガス事業者に報知することが出来る。
【００１６】
第４の発明は、特に、第２または３の発明のエラーカウンタのカウンタ数が一定数以上になると遮断弁に遮断信号を送信する流量積算ミス検知部を有したものである。
【００１７】
上記によれば、流量検知エラーが連続していることを検知し、流量を精確に測定することが出来なくなったと判断し、ガス遮断し、ガスの供給を遮断することが出来る。
【００１８】
第５の発明は、特に、第１の発明の１つの多磁極磁石を用いた精密用磁石を設けたものである。
【００１９】
上記によれば、精密用磁石を複数個用いる必要が無いため、小型化することができる。
【００２０】
以下、本発明の実施の形態について、図面を参照しながら説明する。尚、この実施の形態によって本発明が限定されるものではない。
【００２１】
（実施の形態１）
図１において、ガスメータ１のガス流路２と区別された部屋内に設けた制御器３と、制御器３の電源である電池４と、ガス流路２内に設けられた遮断弁５と、単位流量計測毎に定位置を通過し、単位流量を１／１２等分割した領域に磁石６を１つづつ配置させ、かつ磁石６を配置している領域のうち１つの領域は磁石６を配置していない個所を有した磁石ユニット７とを有する。この磁石ユニット７は通過流量を計測する膜式の計量部に連動して回転する。
【００２２】
流量センサ８ａ、８ｂは磁石６の通過位置に臨んで設け、磁石６が通過する度に流量信号ａ，ｂを出力する。
【００２３】
ガス流量が流れ、磁石ユニット７が回転すると、磁石６の磁力を検知し流量信号ａ、及びｂを出力するが、流量センサ８ａの流量信号ａが１回出力する間に、流量センサ８ｂが流量信号ｂを２回出力すると、流量センサ８ａは磁石６のない領域が通過した、つまり単位流量のガス流量を判断し、マイクロコンピュータ９はガス流量を積算する。
【００２４】
また流量センサ８ｂが流量信号ｂを１回出力する間に、流量センサ８ａが流量信号を２回出力すると、単位流量の半分のガス流量と判断する。
【００２５】
また、単位計量以内のガス流量を判定する場合は、流量信号ａ及びｂを用いて計量体積の１／１２の高分解能で測定を行うことが出来る。高分解能流量積算は、単位流量を判定する毎にリセットするものである。
【００２６】
さらに、流量センサ８ａが２回流量信号を出力した時に、流量センサ８ｂが１回も流量信号を出力しない毎にカウントするエラーカウンタ１０により、流量センサ８ａ及び８ｂの故障、もしくは振動、衝撃等による磁石６の位置ずれ、磁石６の誤検出が起きたことを検知し、それが一定回数以上繰り返されると、正常にガス流量が測定できなくなったと判断し、発呼部１１が集中監視センタに発呼し、さらに流量積算ミス検知部１２が遮断弁を遮断し、ガスの使用を禁止することでガス利用者の安全性を向上させることが出来る。
【００２７】
（実施の形態２）
実施の形態１と異なる点は、磁石に１つの多磁極磁石を用いた物である。
【００２８】
上記によれば磁石を多数用いる必要が無いため、小型化することが出来る。
【産業上の利用可能性】
【００２９】
以上のように、本発明にかかるガス遮断装置は、単位流量計測定毎に定位置を通過する単位計量測定の分割数に応じた複数個の磁石の磁界よって発生する流量信号と、単位計量測定毎に定位置を通過する磁石を有していない領域により、一方の流量センサの流量信号が１回の間に、他方の流量センサが２回以上流量信号を検知すると単位流量のガス流量を判断流量と判定し、単位計量以内のガス流量を測定する場合は流量信号を用いて単位計量体積の磁石数で分割した高分解能で流量測定ができるので、磁界の変化により流量を測定する水道メータや電気メータ等の計量器の用途にも適用できる。
【図面の簡単な説明】
【００３０】
【図１】本発明の実施の形態１の流量検出装置のブロック図
【図２】同装置の磁石ユニットの上面図
【図３】従来のガスメータ流量検出装置のブロック図
【符号の説明】
【００３１】
１  ガスメータ
２  ガス流路
３  制御器
４  電池
５  遮断弁
６  磁石
７  磁石ユニット
８ａ  流量センサ
８ｂ  流量センサ
９  マイクロコンピュータ
１０  エラーカウンタ
１１  通信部
１２  流量積算ミス検知部
【図１】
2006308444.tif 000003
【図２】
2006308444.tif 000004
【図３】
2006308444.tif 000005